(57)【要約】【課題】光パケット信号の位相変調を低減できる伝送装置及び位相変調調整方法を提供することを目的とする。【解決手段】伝送装置は、パケット信号を受信し、受信したパケット信号を光変換して光パケット信号として送信する送信部を有する。送信部は、光変調部と、傾き調整部と、調整信号生成部とを有する。光変調部は、コヒーレント光を、前記パケット信号に基づいた光パケット信号に変調して出力する。傾き調整部は、前記光パケット信号を入力し、前記光パケット信号の立上り及び立下りの傾きを調整する。調整信号生成部は、前記光パケット信号の立上り及び立下りの傾きを調整する調整信号を、前記パケット信号毎に生成する。【選択図】図１
2017112502.tif 000002
【特許請求の範囲】
【請求項１】
パケット信号を受信し、受信したパケット信号を光変換して光パケット信号として送信する送信部を有する伝送装置であって、
前記送信部は、
コヒーレント光を、前記パケット信号に基づいた前記光パケット信号に変調して出力する光変調部と、
前記光パケット信号を入力し、前記光パケット信号の立上り及び立下りの傾きを調整する傾き調整部と、
前記光パケット信号の立上り及び立下りの傾きを調整する調整信号を、前記パケット信号毎に生成する調整信号生成部と、
を有することを特徴とする伝送装置。
【請求項２】
前記傾き調整部は、
第１の導波路及び第２の導波路を有し、
前記光変換された前記光パケット信号を前記第１の導波路及び前記第２の導波路に光分岐し、前記調整信号に基づき、前記第２の導波路を通過する前記光パケット信号の位相を調整し、位相調整後の前記光パケット信号と前記第１の導波路を通過した前記光パケット信号とを合波することを特徴とする請求項１に記載の伝送装置。
【請求項３】
前記パケット信号と前記調整信号とを重畳した重畳信号を生成する重畳部を有し、
前記傾き調整部は、
第１の導波路及び第２の導波路を有し、
光信号を前記第１の導波路及び前記第２の導波路に光分岐し、前記重畳信号に基づき、前記第２の導波路を通過する前記光信号を位相調整後の光パケット信号に変換し、前記位相調整後の光パケット信号と前記第１の導波路を通過した前記光信号とを合波することを特徴とする請求項１に記載の伝送装置。
【請求項４】
前記光パケット信号を波長多重回線に多重出力する出力部と、
前記パケット信号を前記波長多重回線内の波長光毎に時分割する分割部と
を有し、
前記調整信号生成部は、
前記波長光毎に前記調整信号を生成し、
前記傾き調整部は、
前記光変換された前記光パケット信号の波長光に関わる前記調整信号に基づき、前記光パケット信号内の前記光パルスの前記立上り及び前記立下りの傾きを調整することを特徴とする請求項１〜３の何れか一つに記載の伝送装置。
【請求項５】
前記パケット信号から宛先情報を抽出する抽出部と、
前記抽出された前記宛先情報に対応する調整値を取得する取得部と
を有し、
前記調整信号生成部は、
前記取得された前記調整値に関わる前記調整信号を生成することを特徴とする請求項１〜４の何れか一つに記載の伝送装置。
【請求項６】
前記抽出部は、
前記パケット信号から信号長情報を抽出し、
前記調整信号生成部は、
前記抽出された前記信号長情報に対応する調整時間及び前記取得された前記調整値に関わる前記調整信号を生成することを特徴とする請求項５に記載の伝送装置。
【請求項７】
パケット信号を受信し、受信したパケット信号を光変換して光パケット信号として送信する伝送装置の位相変調調整方法であって、
前記伝送装置は、
コヒーレント光を、前記パケット信号に基づいた前記光パケット信号に変調して出力し、
前記光パケット信号を入力し、前記光パケット信号の立上り及び立下りの傾きを調整し、
前記光パケット信号の立上り及び立下りの傾きを調整する調整信号を、前記パケット信号毎に生成する
処理を実行することを特徴とする位相変調調整方法。
【発明の詳細な説明】
【技術分野】
【０００１】
本発明は、伝送装置及び位相変調調整方法に関する。
【背景技術】
【０００２】
例えば、光パス伝送装置は、ＷＤＭ（Wavelength  Division  Multiplex）回線を使用して光パス信号を伝送する伝送装置である。しかしながら、光パス伝送装置では、例えば、ＳＰＭ（Self  Phase  Modulation:自己位相変調）やＸＰＭ（Cross  Phase  Modulation:相互位相変調）による自己や他波長の光強度変化で光ファイバの屈折率が変化するため、光パス信号の位相変調が発生する。その結果、位相変調によって、光パス信号の伝送特性が劣化する。
【０００３】
そこで、光パス信号の位相変調を低減する方法として、光パス信号内の光パルスの立上り（Ｔｒ）／立下り（Ｔｆ）の傾きを鈍化させることで光パス信号の位相変調を低減できる機能が知られている。
【０００４】
光パス伝送装置が伝送する光パス信号は、時間的に連続する信号であって、その宛先が固定の特徴がある。その結果、光パス伝送装置は、宛先が固定であるため、光パス信号のＴｒ／Ｔｆの傾きを鈍化させるためのパラメータも固定となるため、その処理も容易である。従って、光パス伝送装置では、光パス信号内の光パルスのＴｒ／Ｔｆの傾きを鈍化させることで光パス信号の位相変調を低減できる。
【０００５】
また、光パケット伝送装置は、ＷＤＭ回線を使用して光パケット信号を伝送する伝送装置である。光パケット信号は、時間的にバーストの信号であって、その宛先が異なる特徴がある。光パケット信号と光パス信号とは、信号の特徴が異なる。
【先行技術文献】
【特許文献】
【０００６】
【特許文献１】特開２００４−１９８４６１号公報
【特許文献２】特開２００９−２１３１６０号公報
【発明の概要】
【発明が解決しようとする課題】
【０００７】
光パケット伝送装置では、光パス信号の位相変調を低減する方法を適用して光パケット信号内の光パルスのＴｒ／Ｔｆの傾きを鈍化させることも考えられる。しかしながら、光パケット伝送装置では、光パケット信号毎に宛先が異なる、すなわち光パケット信号毎に宛先までの伝送経路が異なるため、光パケット信号内の光パルスのＴｒ／Ｔｆの傾きを鈍化させるためのパラメータも大きく異なる。従って、光パケット伝送装置において、光パス伝送装置のＴｒ／Ｔｆの傾きを鈍化させる方法を単純に適用するのには無理がある。その結果、光パケット伝送装置では、光パケット信号の位相変調が低減できないため、伝送特性劣化を抑制できない。
【０００８】
一つの側面では、光パケット信号の位相変調を低減できる伝送装置及び位相変調調整方法を提供することを目的とする。
【課題を解決するための手段】
【０００９】
一つの態様の伝送装置は、パケット信号を受信し、受信したパケット信号を光変換して光パケット信号として送信する送信部を有する。送信部は、光変調部と、傾き調整部と、調整信号生成部とを有する。光変調部は、コヒーレント光を、前記パケット信号に基づいた前記光パケット信号に変調して出力する。傾き調整部は、前記光パケット信号を入力し、前記光パケット信号の立上り及び立下りの傾きを調整する。調整信号生成部は、前記光パケット信号の立上り及び立下りの傾きを調整する調整信号を、前記パケット信号毎に生成する。
【発明の効果】
【００１０】
一つの側面として、光パケット信号の位相変調を低減できる。
【図面の簡単な説明】
【００１１】
【図１】図１は、実施例１の光伝送システムの一例を示す説明図である。
【図２】図２は、制御電圧テーブル内のテーブル構成の一例を示す説明図である。
【図３】図３は、パケット信号の分解及び組立の一例を示す説明図である。
【図４】図４は、パケット信号、分解データ及び光パケット信号の出力タイミングの一例を示す説明図である。
【図５】図５は、第１のＭＤＬ内のＥ／Ｏ変換部及び整形部の構成の一例を示す説明図である。
【図６Ａ】図６Ａは、整形部内の第３の導波路の光パケット信号、第４の導波路の光パケット信号（制御電圧信号印加なし）、合波した光パケット信号の電界強度波形の一例(位相差なし)を示す説明図である。
【図６Ｂ】図６Ｂは、整形部内の第３の導波路の光パケット信号、第４の導波路の光パケット信号（制御電圧信号印加あり）、合波した光パケット信号の電界強度波形の一例(位相差あり)を示す説明図である。
【図７】図７は、整形部内の入力前の光パケット信号、制御電圧信号、位相調整後の光パケット信号、光合波後の光パケット信号の一例を示す説明図である。
【図８】図８は、調整処理に関わる伝送装置の処理動作の一例を示すフローチャートである。
【図９】図９は、設定処理に関わる設定部の処理動作の一例を示すフローチャートである。
【図１０】図１０は、実施例２のＭＤＬの構成の一例を示す説明図である。
【図１１】図１１は、光変調器の構成の一例を示す説明図である。
【発明を実施するための形態】
【００１２】
以下、図面に基づいて、本願の開示する伝送装置及び位相変調調整方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の光伝送システム１の一例を示す説明図である。図１に示す光伝送システム１は、例えば、時間的にバースト的な光パケット信号を伝送する複数の光パケット伝送装置等の伝送装置２をＷＤＭ（Wavelength  Division  Multiplexer）リング回線３で接続して構成する光パケット伝送システムである。光パケット信号は、例えば、宛先が固定で、時間的に連続する光パス信号と比較して、時間的にバーストの信号であって、その宛先やパケット長も異なる特徴がある。
【００１４】
伝送装置２は、ＷＤＭリング回線３上で光パケット信号を伝送する際の回線占有時間を短縮化して回線使用効率を向上すべく、光パケット信号を並列処理し、複数の光波長に分割伝送する。
【００１５】
伝送装置２は、ＣＬＩＦ（Client  Interface）１０と、複数のＭＤＬ(Module)２０と、光スイッチ３０と、回線ＩＦ４０と、決定部５０と、生成部６０とを有する。尚、ＣＬＩＦ１０及びＭＤＬ２０では、説明の便宜上、クライアント（ＣＬ）回線４からＷＤＭリング回線３に光パケット信号を伝送する機能を例示するが、ＷＤＭリング回線３からＣＬ回線に伝送する機能も有することは言うまでもない。
【００１６】
ＣＬＩＦ１０は、ＣＬ回線４との通信を司る通信ＩＦである。ＣＬＩＦ１０は、分解部１１と、バッファ１２と、判定部１３と、抽出部１４とを有する。分解部１１は、ＣＬ回線４からのパケット信号を並列処理するために、パケット信号を複数の分解データに分解する処理部である。分解部１１は、ＷＤＭリング回線３内の光波長λ毎に割り当てる分解データを分解することになる。バッファ１２は、分解部１１で分解された分解データを一時的に格納する領域である。尚、分解部１１及びバッファ１２は、パケット信号をＷＤＭリング回線３内の光波長毎に時分割する、例えば、分割部である。
【００１７】
判定部１３は、ＣＬ回線４からのパケット信号があるか否かを判定する。抽出部１４は、ＣＬ回線４からのパケット信号のヘッダ情報から宛先情報及びパケット長情報を抽出する。宛先情報は、パケット信号の宛先を示す情報である。パケット長情報は、パケット信号の信号長を示す情報である。
【００１８】
複数のＭＤＬ２０は、バッファ１２に格納された分解データをＷＤＭリング回線３内の使用回線の光波長λの光パケット信号に変換する光モジュールである。ＭＤＬ２０は、第１のＭＤＬ２０Ａ〜第ＸのＭＤＬ２０Ｘである。各ＭＤＬ２０は、ＬＤ（Laser  Diode）２１と、Ｅ／Ｏドライバ２２と、Ｅ／Ｏ変換部２３と、整形ドライバ２４と、整形部２５とを有する。ＬＤ２１は、ＭＤＬ２０毎に指定する狭帯域の光波長λのＣＷ（Continuous  Wave）光をＥ／Ｏ変換部２３に入力する。Ｅ／Ｏドライバ２２は、Ｅ／Ｏ変換部２３を駆動制御するドライバである。Ｅ／Ｏドライバ２２は、バッファ１２に格納された光波長λ毎に割り当てられる分解データをＥ／Ｏ変換部２３に入力する。Ｅ／Ｏ変換部２３は、Ｅ／Ｏドライバ２２からの分解データをＬＤ２１からのＣＷ光で光パケット信号に光変換する、例えば、マッハツェンダ型のニオブ酸リチウム変調器（ＬＮ変調器）等の強誘電体の変調器である。
【００１９】
整形ドライバ２４は、整形部２５を透過する光パケット信号に後述する、調整信号である制御電圧信号を印加する、例えば、調整信号生成部である。整形部２５は、例えば、マッハツェンダ型のＬＮ変調器等の強誘電体の変調器である。尚、整形部２５は、例えば、傾き調整部である。整形部２５は、後述する第３の導波路２５Ａ及び第４の導波路２５Ｂとを有し、Ｅ／Ｏ変換部２３からの光パケット信号を第３の導波路２５Ａ及び第４の導波路２５Ｂに光分岐する。第３の導波路２５Ａは、光分岐された光パケット信号を透過出力する。第４の導波路２５Ｂは、光分岐された光パケット信号に、整形ドライバ２４からの制御電圧信号を印加することで、位相調整後の光パケット信号を出力することになる。第４の導波路２５Ｂの出力である光パケット信号は、第３の導波路２５Ａの出力である光パケット信号と比較して位相差のある位相調整後の光パケット信号となる。
【００２０】
光スイッチ３０は、ＭＤＬ２０と回線ＩＦ４０との間で光パケット信号を切替出力するスイッチである。光スイッチ３０は、スイッチＭＤＬ３１と、回線監視部３２と、スイッチ制御部３３とを有する。スイッチＭＤＬ３１は、ＭＤＬ２０と回線ＩＦ４０との間で光波長λ毎の光パケット信号を切替出力するスイッチである。回線監視部３２は、ＷＤＭリング回線３内の光波長λ毎の回線の使用状況を監視する。スイッチ制御部３３は、スイッチＭＤＬ３１を制御する。
【００２１】
回線ＩＦ４０は、ＷＤＭリング回線３との間の通信を司る通信ＩＦである。回線ＩＦ４０は、多重部４１と、分離部４２とを有する。多重部４１は、分解された各光波長λの光パケット信号をＷＤＭリング回線３に多重出力する、例えば出力部である。分離部４２は、ＷＤＭリング回線３で受信した光パケット信号を分離入力する。尚、回線監視部３２は、分離部４２からＷＤＭリング回線３内の光波長λ毎の回線の状況を監視する。
【００２２】
決定部５０は、整形部２５に印加する制御電圧信号の制御電圧値を決定する処理部である。決定部５０は、制御電圧テーブル５１と、制御電圧取得部５２と、設定部５３とを有する。制御電圧テーブル５１は、パケット信号の宛先情報毎に設定する制御電圧値を記憶するテーブルである。図２は、制御電圧テーブル５１内のテーブル構成の一例を示す説明図である。図２に示す制御電圧テーブル５１は、宛先情報５１Ａ毎に、ＷＤＭリング回線３内で使用する光波長５１Ｂ及び制御電圧値５１Ｃを対応付けて記憶するテーブルである。
【００２３】
制御電圧取得部５２は、宛先情報に対応する光波長λ毎の制御電圧値を制御電圧テーブル５１から取得する、例えば、取得部である。そして、制御電圧取得部５２は、取得された制御電圧値を生成部６０に通知する。設定部５３は、制御電圧テーブル５１内の宛先情報毎に各光波長λの電圧値を設定登録する。設定部５３は、宛先情報に対応した伝送経路の通信環境下でテスト用の光パケット信号を使用し、光波長λ毎の下限電圧値及び上限電圧値を取得する。更に、設定部５３は、光波長λ毎の下限電圧値及び上限電圧値の電圧範囲から光波長λ毎に任意の電圧値を指定し、指定された任意の電圧値を制御電圧値として制御電圧テーブル５１内に登録する。尚、同一宛先情報の制御電圧値は光波長λ毎に異なるように指定する。
【００２４】
生成部６０は、例えば、ＷＤＭリング回線３内で使用する光波長λの回線の使用状況に応じてパケット信号の出力タイミングを制御する処理部である。生成部６０は、情報分離部６１と、空き回線監視部６２と、出力制御部６３と、ドライバ制御部６４とを有する。情報分離部６１は、抽出部１４からの情報を宛先情報及びパケット長情報に分解する。空き回線監視部６２は、回線監視部３２からの監視結果に基づき、ＷＤＭリング回線３内の光波長λ毎の光回線の空き状況を監視する。出力制御部６３は、空き回線監視部６２の監視結果に基づき、使用する光波長λの光回線が空き状態の場合に、空き状態の光波長λに対応する分解データを出力すべく、バッファ１２の出力タイミングを制御する。
【００２５】
出力制御部６３は、印加時間取得部６３Ａを有する。印加時間取得部６３Ａは、情報分離部６１からパケット長情報を取得した場合、印加対象の分解データのパケット長に最短パケット間隔を加算することで、当該分解データのＷＤＭリング回線３の回線占有時間を算出する。尚、印加対象の分解データのパケット長は、光波長λ毎に割り当てられた分解データ分の信号長である。例えば、図３に示すパケット信号Ｐ１内の光波長λ１に割り当てられた分解データＰ１−１、Ｐ１−５及びＰ１−９の回線占有時間は、分解データＰ１−１、Ｐ１−５及びＰ１−９分のパケット長＋最短パケット間隔÷２である。尚、最短パケット間隔÷２は、パケット長分の印加時間のマージンであるため、「０」でも良い。
【００２６】
印加時間取得部６３Ａは、その回線占有時間を制御電圧信号の印加時間とし、印加時間をドライバ制御部６４に設定する。ドライバ制御部６４は、制御電圧取得部５２にて取得された制御電圧値と、印加時間取得部６３Ａにて取得された印加時間とに基づき制御電圧信号を生成する。ドライバ制御部６４は、各ＭＤＬ２０内の整形部２５内の第４の導波路２５Ｂを通過する光パケット信号に印加する制御電圧信号を整形ドライバ２４に設定する。
【００２７】
図３は、パケット信号の分解及び組立の一例を示す説明図、図４は、パケット信号、分解データ及び光パケット信号の出力タイミングの一例を示す説明図である。尚、説明の便宜上、図３に示すパケット信号Ｐ１はＣＬ１からＣＬ２へのパケット信号、パケット信号Ｐ２はＣＬ１からＣＬ３へのパケット信号とする。また、パケット信号Ｐ３はＣＬ１からＣＬ３へのパケット信号とする。ＣＬ１はＣＬ回線４側のＣＬ、ＣＬ２及びＣＬ３はＷＤＭリング回線３上に接続する他の伝送装置２と接続するＣＬ回線側のＣＬとする。
【００２８】
分解部１１は、パケット信号Ｐ１、パケット信号Ｐ２及びパケット信号Ｐ３の順にＣＬ回線４から入力されるものとする。分解部１１は、パケット信号Ｐ１を分解データＰ１−１〜Ｐ１−１０に分解する。分解部１１は、例えば、光波長λ１、λ２、λ３及びλＸの内、光波長λ１に分解データＰ１−１、光波長λ２に次の分解データＰ１−２、光波長λ３に次の分解データＰ１−３及び光波長λＸに次の分解データＰ１−４を順次割り当て、これら分解データＰ１−１〜Ｐ１−４をバッファ１２に順次格納する。更に、分解部１１は、光波長λ１に分解データＰ１−１、Ｐ１−５及びＰ１−９、光波長λ２に分解データＰ１−２、Ｐ１−６及びＰ１−１０、光波長λ３に分解データＰ１−３及びＰ１−７、光波長λＸに分解データＰ１−４及びＰ１−８を順次割り当てる。そして、分解部１１は、これら分解データＰ１−１〜Ｐ１−１０をバッファ１２に順次格納する。
【００２９】
例えば、第１のＭＤＬ２０Ａは、分解データＰ１−１、Ｐ１−５及びＰ１−９を光波長λ１の光パケット信号に変換する。第２のＭＤＬ２０Ｂは、分解データＰ１−２、Ｐ１−６及びＰ１−１０を光波長λ２の光パケット信号に変換する。第３のＭＤＬ２０Ｃは、分解データＰ１−３及びＰ１−７を光波長λ３の光パケット信号に変換する。第ＸのＭＤＬ２０Ｘは、分解データＰ１−４及びＰ１−８を光波長λＸの光パケット信号に変換する。
【００３０】
出力制御部６３は、ＷＤＭリング回線３の光波長λ１、λ２、λ３及びλＸの光回線の空き状態を検出した場合、分解データＰ１−１、Ｐ１−５及びＰ１−９を第１のＭＤＬ２０Ａに出力すべく、バッファ１２の出力を制御する。また、出力制御部６３は、分解データＰ１−２、Ｐ１−６及びＰ１−１０を第２のＭＤＬ２０Ｂ、分解データＰ１−３及びＰ１−７を第３のＭＤＬ２０Ｃ、分解データＰ１−４及びＰ１−８を第ＸのＭＤＬ２０Ｘに出力すべく、バッファ１２の出力を制御する。
【００３１】
第１のＭＤＬ２０Ａは、分解データＰ１−１、Ｐ１−５及びＰ１−９を光波長λ１の光パケット信号に変換して光スイッチ３０に出力する。第２のＭＤＬ２０Ｂは、分解データＰ１−２、Ｐ１−６及びＰ１−１０を光波長λ２の光パケット信号に変換して光スイッチ３０に出力する。第３のＭＤＬ２０Ｃは、分解データＰ１−３及びＰ１−７を光波長λ３の光パケット信号に変換して光スイッチ３０に出力する。第ＸのＭＤＬ２０Ｘは、分解データＰ１−４及びＰ１−８を光波長λＸの光パケット信号に変換して光スイッチ３０に出力する。
【００３２】
そして、回線ＩＦ４０の多重部４１は、ＷＤＭリング回線３内の光波長λ１の回線に第１のＭＤＬ２０Ａからの光波長λ１の光パケット信号、光波長λ２の回線に第２のＭＤＬ２０Ｂからの光波長λ２の光パケット信号を多重出力する。また、多重部４１は、光波長λ３の回線に第３のＭＤＬ２０Ｃからの光波長λ３の光パケット信号、光波長λＸの回線に第ＸのＭＤＬ２０Ｘからの光波長λＸの光パケット信号を多重出力する。つまり、多重部４１は、光波長λ１、λ２、λ３及びλＸの光パケット信号を同一タイミングで多重出力する。尚、第１のＭＤＬ２０Ａからの光パケット信号は分解データＰ１−１、Ｐ１−５及びＰ１−９が光変換された信号である。第２のＭＤＬ２０Ｂからの光パケット信号は分解データＰ１−２、Ｐ１−６及びＰ１−１０が光変換された信号である。第３のＭＤＬ２０Ｃからの光パケット信号は分解データＰ１−３及びＰ１−７が光変換された信号である。第ＸのＭＤＬ２０Ｘからの光パケット信号は分解データＰ１−４及びＰ１−８が光変換された信号である。
【００３３】
また、分解部１１は、パケット信号Ｐ２及びパケット信号Ｐ３も同様に分解し、各パケット信号の分解データをバッファ１２に格納する。更に、出力制御部６３は、バッファ１２に格納中の分解データをＷＤＭリング回線３の回線空き状況に基づき、各光波長λのＭＤＬ２０に順次出力すべく、バッファ１２の出力を制御する。
【００３４】
また、ＣＬ２と接続する他の伝送装置２は、ＷＤＭリング回線３からＣＬ２の各波長λ１、λ２、λ３及びλＸの光パケット信号Ｐ１−１〜Ｐ１−１０を順次抽出し、これら抽出された光パケット信号Ｐ１−１〜Ｐ１−１０で光パケット信号Ｐ１を組み立てる。
【００３５】
また、ＣＬ３と接続する他の伝送装置２は、ＷＤＭリング回線３からＣＬ３の各波長λの光パケット信号Ｐ２−１〜Ｐ２−７を順次抽出し、これら抽出された光パケット信号Ｐ２−１〜Ｐ２−７で光パケット信号Ｐ２を組み立てる。また、ＣＬ３と接続する他の伝送装置２は、ＷＤＭリング回線３からＣＬ３の各波長λの光パケット信号Ｐ３−１〜Ｐ３−１１を順次抽出し、これら抽出された光パケット信号Ｐ３−１〜Ｐ３−１１で光パケット信号Ｐ３を組み立てる。
【００３６】
伝送装置２は、受信側で光パケット信号を組み立てることを考慮した場合、各光波長の光パケット信号を同一タイミングで受信する必要があるため、送信側でも、同一タイミングで光パケット信号を送信するものとする。
【００３７】
図５は、第１のＭＤＬ２０ＡのＥ／Ｏ変換部２３及び整形部２５の構成の一例を示す説明図である。尚、説明の便宜上、第１のＭＤＬ２０Ａを例示するが、第２のＭＤＬ２０Ｂ、第３のＭＤＬ２０Ｃ及び第ＸのＭＤＬ２０Ｘも第１のＭＤＬ２０Ａと同一の構成であるため、その構成及び動作の説明については省略する。
【００３８】
第１のＭＤＬ２０Ａ内のＥ／Ｏ変換部２３は、第１の導波路２３Ａ及び第２の導波路２３Ｂを有し、ＬＤ２１からのＣＷ光を第１の導波路２３Ａ及び第２の導波路２３Ｂに光分岐する。Ｅ／Ｏドライバ２２は、第１の導波路２３Ａ及び第２の導波路２３Ｂを通過するＣＷ光に分解データ（データパターン）Ｐ１−１、Ｐ１−５及びＰ１−９を印加する。その結果、Ｅ／Ｏ変換部２３は、第１の導波路２３Ａ及び第２の導波路２３Ｂで光パケット信号Ｐ１−１、Ｐ１−５及びＰ１−９に光変換する。Ｅ／Ｏ変換部２３は、第１の導波路２３Ａの出力である光パケット信号と第２の導波路２３Ｂの出力である光パケット信号とを合波して整形部２５に出力する。
【００３９】
整形部２５は、第３の導波路２５Ａ及び第４の導波路２５Ｂを有し、Ｅ／Ｏ変換部２３からの光パケット信号を第３の導波路２５Ａ及び第４の導波路２５Ｂに光分岐する。第３の導波路２５Ａは、光分岐された光パケット信号を透過する。第４の導波路２５Ｂは、光分岐された光パケット信号に印加時間分の制御電圧信号を印加し、制御電圧信号が印加された光パケット信号、すなわち位相調整後の光パケット信号を出力する。尚、第４の導波路２５Ｂの出力である光パケット信号は、第３の導波路２５Ａの出力である光信号との間で位相差が生じる。
【００４０】
そして、整形部２５は、第３の導波路２５Ａの出力である光パケット信号と、第４の導波路２５Ｂの出力である位相調整後の光パケット信号とを合波した位相干渉のある光パケット信号を出力する。その結果、位相調整後の光パケット信号の光パルスは、図５に示すように、その光パルスのＴｒ／Ｔｆの傾きが鈍化する。
【００４１】
図６Ａは、整形部２５内の第３の導波路２５Ａの光パケット信号ＯＰ１、第４の導波路２５Ｂの光パケット信号（制御電圧信号印加なし）ＯＰ２、合波した光パケット信号ＯＰ３の電界強度波形の一例(位相差なし)を示す説明図である。整形部２５は、第３の導波路２５Ａの出力である光パケット信号ＯＰ１と、第４の導波路２５Ｂの出力である光パケット信号ＯＰ２とを合波し、合波後の光パケット信号ＯＰ３を出力する。合波後の光パケット信号ＯＰ３の包括線Ｌ１は、図６Ａに示す通りである。
【００４２】
図６Ｂは、整形部２５内の第３の導波路２５Ａの光パケット信号ＯＰ１、第４の導波路２５Ｂの光パケット信号（制御電圧信号印加あり）ＯＰ４、合波した光パケット信号ＯＰ５の電界強度波形の一例(位相差あり)を示す説明図である。整形部２５は、第３の導波路２５Ａの出力である光パケット信号ＯＰ１と、第４の導波路２５Ｂの制御電圧印加後の光パケット信号ＯＰ４とを合波し、合波後の光パケット信号ＯＰ５を出力する。合波後の光パケット信号ＯＰ５の包括線Ｌ２は、包括線Ｌ１に比較して傾きが下がる。その結果、光パケット信号ＯＰ５の光パルスのＴｒ／Ｔｆの傾きは、位相差のある方が包括線の傾きが下がることで鈍化する。
【００４３】
図７は、整形部２５内の入力前の光パケット信号Ｐ１〜Ｐ３、制御電圧信号、位相調整後の光パケット信号Ｐ１〜Ｐ３、光合成後の光パケット信号Ｐ１〜Ｐ３の一例を示す説明図である。尚、光パケット信号Ｐ１、Ｐ２及びＰ３は、宛先が異なるものとする。
【００４４】
整形部２５は、Ｅ／Ｏ変換部２３からの光パケット信号Ｐ１に、光パケット信号Ｐ１の宛先情報及びパケット長情報に基づく制御電圧信号Ｖ１を印加する。更に、整形部２５は、第３の導波路２５Ａの出力である光パケット信号Ｐ１Ａと、第４の導波路２５Ｂの出力である、制御電圧信号Ｖ１の印加後、すなわち位相調整後の光パケット信号Ｐ１Ｂとを出力する。整形部２５は、光パケット信号Ｐ１Ａと位相調整後の光パケット信号Ｐ１Ｂとを合波し、合波後の光パケット信号Ｐ１Ｃを出力する。合波後の光パケット信号Ｐ１ＣのＴｒ／Ｔｆの傾きは鈍化した状態となる。
【００４５】
また、整形部２５は、Ｅ／Ｏ変換部２３からの光パケット信号Ｐ２に、光パケット信号Ｐ２の宛先情報及びパケット長情報に基づく制御電圧信号Ｖ２を印加する。更に、整形部２５は、第３の導波路２５Ａの出力である光パケット信号Ｐ２Ａと、第４の導波路２５Ｂの出力である、制御電圧信号Ｖ２の印加後、すなわち位相調整後の光パケット信号Ｐ２Ｂとを出力する。整形部２５は、光パケット信号Ｐ２Ａと位相調整後の光パケット信号Ｐ２Ｂとを合波し、合波後の光パケット信号Ｐ２Ｃを出力する。合波後の光パケット信号Ｐ２ＣのＴｒ／Ｔｆの傾きは鈍化した状態となる。
【００４６】
また、整形部２５は、Ｅ／Ｏ変換部２３からの光パケット信号Ｐ３に、光パケット信号Ｐ３の宛先情報及びパケット長情報に基づく制御電圧信号Ｖ３を印加する。更に、整形部２５は、第３の導波路２５Ａの出力である光パケット信号Ｐ３Ａと、第４の導波路２５Ｂの出力である、制御電圧信号Ｖ３の印加後、すなわち位相調整後の光パケット信号Ｐ３Ｂとを出力する。整形部２５は、光パケット信号Ｐ３Ａと位相調整後の光パケット信号Ｐ３Ｂとを合波し、合波後の光パケット信号Ｐ３Ｃを出力する。合波後の光パケット信号Ｐ３ＣのＴｒ／Ｔｆの傾きは鈍化した状態となる。
【００４７】
次に実施例１の光伝送システム１の動作について説明する。図８は、調整処理に関わる伝送装置２の処理動作の一例を示すフローチャートである。図８に示す調整処理は、光パケット信号毎に同一の光パケット信号間の位相干渉で光パケット信号内の光パルスのＴｒ／Ｔｆの傾きを鈍化させる処理である。
【００４８】
図８において伝送装置２内の判定部１３は、ＣＬ回線４からのパケット信号があるか否かを判定する(ステップＳ１１)。伝送装置２内の抽出部１４は、パケット信号がある場合(ステップＳ１１肯定)、パケット信号のヘッダ情報から宛先情報及びパケット長情報を抽出する(ステップＳ１２)。伝送装置２は、ステップＳ１２にて宛先情報及びパケット長情報を抽出した場合、後述するステップＳ１３及びステップＳ１６の処理動作を実行する。尚、分解部１１は、ＣＬ回線４からのパケット信号を分解し、分解された分解データをバッファ１２に格納する。
【００４９】
伝送装置２内の制御電圧取得部５２は、取得された宛先情報に対応した制御電圧値が制御電圧テーブル５１内にあるか否かを判定する(ステップＳ１３)。制御電圧取得部５２は、宛先情報に対応した制御電圧値がある場合(ステップＳ１３肯定)、その宛先情報に対応した制御電圧値を取得し、取得された制御電圧値をドライバ制御部６４に設定する(ステップＳ１４)。
【００５０】
また、制御電圧取得部５２は、宛先情報に対応した制御電圧値がない場合(ステップＳ１３否定)、初期値の制御電圧値を取得し、取得された制御電圧値をドライバ制御部６４に設定する(ステップＳ１５)。
【００５１】
また、伝送装置２内の印加時間取得部６３Ａは、取得されたパケット長情報及び最短光パケット信号間隔に基づき、光パケット信号の光波長λの分解データに対応する回線占有時間を算出する。更に、印加時間取得部６３Ａは、算出した回線占有時間を印加時間としてドライバ制御部６４に設定する(ステップＳ１６)。尚、パケット長情報は、例えば、ＣＬ回線４からのパケット信号を４波長の各光波長に分解データを割り当てる場合、光波長毎の分解データの信号長に相当する。
【００５２】
ドライバ制御部６４は、制御電圧値及び印加時間に基づき、光波長λに対応したＭＤＬ２０の整形部２５に印加する制御電圧信号を生成する(ステップＳ１７)。伝送装置２内の出力制御部６３は、空き回線監視部６２を通じてＷＤＭリング回線３で使用する光波長λの回線が空き状態であるか否かを判定する(ステップＳ１８)。尚、出力制御部６３は、分解データに関わる光パケット信号の伝送に使用する光波長λの回線の空き状態を判定する。
【００５３】
出力制御部６３は、光パケット信号の伝送に使用する光波長λの回線が空き状態の場合(ステップＳ１８肯定)、バッファ１２から当該光波長λの分解データを各光波長λ対応のＭＤＬ２０内のＥ／Ｏ変換部２３に出力する(ステップＳ１９)。尚、Ｅ／Ｏ変換部２３は、バッファ１２からの分解データを光変換して光パケット信号を出力する。
【００５４】
伝送装置２内の整形部２５は、Ｅ／Ｏ変換部２３からの光パケット信号を光分岐し、光分岐された光パケット信号を第３の導波路２５Ａ及び第４の導波路２５Ｂに出力する(ステップＳ２０)。ドライバ制御部６４は、第４の導波路２５Ｂを通過する光パケット信号に制御電圧信号を印加する(ステップＳ２１)。そして、第４の導波路２５Ｂの出力である光パケット信号は、通過する光パケット信号に制御電圧信号を印加するため、第４の導波路２５Ｂ内の屈折率が変化して位相遅延が生じ、位相調整後の光パケット信号となる。
【００５５】
整形部２５は、第３の導波路２５Ａの出力である光パケット信号と、第４の導波路２５Ｂの出力である位相調整後の光パケット信号とを合波し、その合波された光パケット信号をＷＤＭリング回線３内の各指定の光波長λの光回線に出力する(ステップＳ２２)。そして、整形部２５は、図８に示す処理動作を終了する。合波された光パケット信号は、光パケット信号内のＴｒ／Ｔｆの傾きが鈍化することで、光パケット信号の位相変調を低減できる。
【００５６】
伝送装置２は、パケット信号の宛先情報毎に光波長λ毎の制御電圧値に基づく制御電圧信号を生成する。伝送装置２は、パケット信号の分解データを光パケット信号に変換し、光パケット信号を第３の導波路２５Ａ及び第４の導波路２５Ｂに光分岐する。伝送装置２は、第４の導波路２５Ｂを通過する光パケット信号に制御電圧信号を印加し、位相調整後の光パケット信号を出力する。伝送装置２は、第３の導波路２５Ａの光パケット信号と、第４の導波路２５Ｂの位相調整後の光パケット信号とを合波し、光パケット信号内の光パルスのＴｒ／Ｔｆの傾きが鈍化する。その結果、光パケット信号の位相変調を低減できる。
【００５７】
図９は、設定処理に関わる設定部５３の処理動作の一例を示すフローチャートである。図９に示す設定処理は、宛先情報毎に、テスト用の光パケット信号を使用して光波長λ毎の電圧範囲を決定し、電圧範囲内の任意の電圧値を制御電圧値として制御電圧テーブル５１内に登録する処理である。尚、設定部５３は、設定対象の宛先情報の伝送経路の通信環境、例えば、伝送距離や光ファイバ条件（分散係数や非線形特性等）を指定し、光波長λ毎に使用するＭＤＬ２０を指定する。設定処理は、光伝送システム１のネットワーク構築時に実行する処理である。
【００５８】
設定部５３は、第３の導波路２５Ａの出力である光パケット信号と、第４の導波路２５Ｂの出力である光パケット信号との間の位相差が“０”となる電圧値の制御電圧信号を設定する(ステップＳ３１)。尚、設定部５３は、設定対象の宛先情報の伝送経路の通信環境を指定し、その伝送経路で位相差が“０”になる電圧値の制御電圧信号を設定する。
【００５９】
設定部５３は、テスト用の光パケット信号の整形部２５への入力をＥ／Ｏ変換部２３に設定し(ステップＳ３２)、光パケット信号が受信できる状態にあるか否かを判定する(ステップＳ３３)。尚、光パケット信号が受信できる状態にあるか否かを判定する基準は、例えば、光パケット信号のＢＥＲ（Bit  Error  Rate）が所定閾値未満であるか否かで判断する。
【００６０】
設定部５３は、光パケット信号が受信できる状態にない場合(ステップＳ３３否定)、電圧値を上昇方向に設定変更し(ステップＳ３４)、光パケット信号が受信できる状態にあるか否かを判定すべく、ステップＳ３３に移行する。
【００６１】
設定部５３は、光パケット信号が受信できる状態にある場合(ステップＳ３３肯定)、現在の電圧値を下限電圧値として記憶し(ステップＳ３５)、電圧値を上昇方向に設定変更する(ステップＳ３６)。
【００６２】
設定部５３は、テスト用の光パケット信号の整形部２５への入力をＥ／Ｏ変換部２３に設定し(ステップＳ３７)、現在の光パケット信号が受信できる状態にあるか否かを判定する(ステップＳ３８)。設定部５３は、現在の光パケット信号が受信できる状態にある場合(ステップＳ３８肯定)、電圧値を更に上昇方向に設定変更し(ステップＳ３９)、光パケット信号が受信できる状態にあるか否かを判定すべく、ステップＳ３８に移行する。
【００６３】
設定部５３は、現在の光パケット信号が受信できる状態にない場合(ステップＳ３８否定)、現在の電圧値を上限電圧値として記憶する(ステップＳ４０)。設定部５３は、試験対象の宛先情報の該当光波長λに関わる下限電圧値及び上限電圧値を電圧範囲とし、その電圧範囲内で任意の電圧値を制御電圧値として制御電圧テーブル５１内に登録し(ステップＳ４１)、図９に示す処理動作を終了する。尚、電圧範囲内の任意の電圧値は、例えば利用者の操作で指定しても良い。
【００６４】
その結果、設定部５３は、宛先情報に対応する１光波長の下限電圧値及び上限電圧値の電圧範囲を特定し、電圧範囲内から任意の電圧値を制御電圧値として制御電圧テーブル５１内に登録する。その結果、制御電圧テーブル５１の宛先情報に対応する光波長λ毎の制御電圧値を登録できる。
【００６５】
伝送装置２では、光パケット信号毎にＴｒ／Ｔｆの傾きを鈍化させるため、高速の変調処理を要することなく、宛先が異なる場合でも光パケット信号の位相変調を低減できる。その結果、伝送装置２は、光パケット信号の位相変調を低減することで伝送特性の劣化を抑制しながら、長距離伝送にも対応できる。
【００６６】
制御電圧テーブル５１は、同一宛先情報内の光波長λ毎に異なる制御電圧値を設定登録したので、光パケット信号の位相変調を高精度に低減できる。
【００６７】
光パス伝送装置では、光ファイバ又はＶＩＰＡ型可変分散補償器等を使用して波長分散を付与することで、光パス信号内の光パルスのＴｒ／Ｔｆの傾きを鈍化させる分散付与方法がある。しかしながら、光パス伝送装置では、光パス信号の宛先が固定であるため、付与する分散量も固定となる。これに対して、光パケット伝送装置では、光パケット信号毎に宛先が異なり、付与する分散量も異なるため、付与する分散量も瞬時に設定できない。そこで、伝送装置２では、光パケット信号毎に光波長λの光パケット信号内の光パルスのＴｒ／Ｔｆの傾きを鈍化させるため、光パケット信号の位相変調を高精度に低減できる。
【００６８】
また、光パス伝送装置では、電気信号の段階で光変換後の光パス信号内の光パルスのＴｒ／Ｔｆの傾きが鈍化するように制御信号を重畳した電気信号を生成する予等化処理の方法もある。しかしながら、光パス伝送装置では、制御信号がデータパターンの変化点のみ、つまり、ビット単位でＴｒ／Ｔｆの傾きの波形を制御するため、データのビットレートよりも高速に処理する必要がある。これに対して、伝送装置２では、ビット単位ではなく、光パケット信号毎にＴｒ／Ｔｆの傾きを鈍化するため、データのビットレートが高速になったとしても、光パケット信号の位相変調を低減できる。
【００６９】
伝送装置２は、整形部２５内の第３の導波路２５Ａ及び第４の導波路２５Ｂに光パケット信号を光分岐し、制御電圧信号に基づき、第４の導波路２５Ｂを通過する光パケット信号の位相を調整する。更に、伝送装置２は、第４の導波路２５Ｂの出力である位相調整後の光パケット信号と、第３の導波路２５Ａの出力である光パケット信号とを合波し、光パケット信号内の光パルスのＴｒ／Ｔｆの傾きを鈍化する。その結果、光パケット信号の位相変調を低減できる。
【００７０】
伝送装置２は、パケット信号から宛先情報を抽出し、抽出された宛先情報に対応する制御電圧値を制御電圧テーブル５１から取得し、制御電圧値に基づき制御電圧信号を生成する。その結果、伝送装置２は、パケット信号の宛先情報毎に異なる制御電圧信号を生成できる。
【００７１】
伝送装置２は、パケット信号からパケット長情報を抽出し、そのパケット長情報に基づき光パケット信号に対する制御電圧信号の印加時間を算出し、その印加時間に基づく制御電圧信号を第４の導波路２５Ｂを通過する光パケット信号に印加する。その結果、伝送装置２は、パケット信号毎に異なる制御電圧信号及び印加時間を設定できる。
【００７２】
上記実施例１では、同一宛先情報内の光波長λ毎に異なる制御電圧値を制御電圧テーブル５１内に登録したが、異なる制御電圧値に限定されるものではなく、同一宛先情報内の各光波長λで同一の制御電圧値を制御電圧テーブル５１内に登録しても良い。
【００７３】
上記実施例１では、光パケット信号を伝送する光パケット伝送装置を例示したが、光パス信号を伝送する光パス伝送装置に適用しても同様の効果が得られる。
【００７４】
上記実施例１では、パケット信号を分割した分解データをＷＤＭリング回線３の光波長λ毎に割り当てる並列処理構成を例示したが、この構成に限定されるものではなく、適宜変更可能である。
【００７５】
上記実施例１の設定処理は、ステップＳ３３及びＳ３８にて光パケット信号が受信できる状態にあるか否かを判定したが、利用者の操作でＢＥＲに基づき、光パケット信号が受信できる状態であるか否かを判定するようにしても良い。
【００７６】
上記実施例１のＥ／Ｏ変換部２３は、例えば、ＬＮ変調器を例示したが、ＬＮ変調器に限定されるものではなく、例えば、電界吸収型変調器（ＥＡ変調器）であっても良く、適宜変更可能である。
【００７７】
上記実施例１の整形部２５は、例えば、ＬＮ変調器を例示したが、第３の導波路２５Ａ及び第４の導波路２５Ｂ内の屈折率の変化による位相差を活用して位相変調する電気光学変調器であっても良く、適宜変更可能である。
【００７８】
上記実施例１の整形部２５に印加する制御電圧信号は、電圧制御で光パケット信号の位相を調整したが、電圧制御に限定されるものではなく、例えば、電流制御や温度制御で光パケット信号の位相を調整するようにしても良い。
【００７９】
上記実施例１の各ＭＤＬ２０は、Ｅ／Ｏ変換部２３及び整形部２５を夫々別個の光変調器で構成したが、Ｅ／Ｏ変換部２３及び整形部２５を単一の光変調器で構成しても良く、この場合の実施の形態につき、実施例２として以下に説明する。図１０は、実施例２のＭＤＬ２００の構成の一例を示す説明図、図１１は、光変調器２６の構成の一例を示す説明図である。尚、実施例１のＭＤＬ２０と同一の構成には同一符号を付すことで、その重複する構成及び動作の説明については省略する。
【実施例２】
【００８０】
図１０に示すＭＤＬ２００は、ＬＤ２１、Ｅ／Ｏドライバ２２、整形ドライバ２４の他に、重畳ドライバ２７及び光変調器２６を有する。重畳ドライバ２７は、Ｅ／Ｏドライバ２２からの分解データと、整形ドライバ２４からの制御電圧信号とを重畳し、その重畳信号を光変調器２６に入力する。
【００８１】
光変調器２６は、第５の導波路２６Ａ及び第６の導波路２６Ｂを有し、ＬＤ２１からのＣＷ光を第５の導波路２６Ａ及び第６の導波路２６Ｂに光分岐する。第５の導波路２６Ａは、光分岐されたＣＷ光を透過する。第６の導波路２６Ｂは、光分岐されたＣＷ光に重畳信号を印加し、位相調整後の光パケット信号を出力する。光変調器２６は、第５の導波路２６Ａの出力であるＣＷ光と、第６の導波路２６Ｂの出力である位相調整後の光パケット信号を合波し、位相干渉のある光パケット信号を出力する。その結果、光パケット信号の光パルスは、図１１に示すように、その光パルスのＴｒ／Ｔｆの傾きが鈍化する。その結果、光パケット信号内の光パルスのＴｒ／Ｔｆの傾きが鈍化するため、光パケット信号の位相変調を低減できる。
【００８２】
実施例２の光変調器２６では、Ｅ／Ｏ変換部及び整形部を別個に設けることなく、ＬＤ２１からのＣＷ光を第５の導波路２６Ａ及び第６の導波路２６Ｂに光分岐する。光変調器２６は、第６の導波路２６Ｂを透過するＣＷ光に、制御電圧信号及び分解データを重畳する重畳信号を印加して位相調整後の光パケット信号を出力する。光変調器２６は、第５の導波路２６Ａの出力であるＣＷ光と、第６の導波路２６Ｂの出力である位相調整後の光パケット信号とを合波し、位相干渉のある光パケット信号を出力する。その結果、光パケット信号内の光パルスのＴｒ／Ｔｆの傾きが鈍化するため、光パケット信号の位相変調を低減できる。
【００８３】
実施例２では、制御電圧信号が分解データ（データパターン）の全体に重畳されているために、本来のデータパターンでの位相差が0°->180°、180°->0°ではなくなる。そのため、生成された光パケット信号の「０」及び「１」は点灯・消灯ではなく、その光パケット信号の振幅が劣化して光強度の強弱変化となる(光信号の消光比劣化)。従って、伝送距離やＳＮ耐力の劣化を引き起こすことが考えられるので、本形態の適用は短距離伝送に適している。
【００８４】
上記実施例の整形部２５に印加する制御電圧信号は、電圧制御で光パケット信号の位相を調整したが、電圧制御に限定されるものではなく、例えば、電流制御や温度制御で光パケット信号の位相を調整しても良い。
【００８５】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８６】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【００８７】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile  Random  Access  Memory）等のＲＡＭ（Random  Access  Memory）で構成しても良い。
【００８８】
以上、本実施例を含む実施の形態に関し、更に以下の付記を開示する。
【００８９】
(付記１)パケット信号を受信し、受信したパケット信号を光変換して光パケット信号として送信する送信部を有する伝送装置であって、
前記送信部は、
コヒーレント光を、前記パケット信号に基づいた前記光パケット信号に変調して出力する光変調部と、
前記光パケット信号を入力し、前記光パケット信号の立上り及び立下りの傾きを調整する傾き調整部と、
前記光パケット信号の立上り及び立下りの傾きを調整する調整信号を、前記パケット信号毎に生成する調整信号生成部と
を有することを特徴とする伝送装置。
【００９０】
(付記２)前記傾き調整部は、
第１の導波路及び第２の導波路を有し、
前記光変換された前記光パケット信号を前記第１の導波路及び前記第２の導波路に光分岐し、前記調整信号に基づき、前記第２の導波路を通過する前記光パケット信号の位相を調整し、位相調整後の前記光パケット信号と前記第１の導波路を通過した前記光パケット信号とを合波することを特徴とする付記１に記載の伝送装置。
【００９１】
(付記３)前記パケット信号と前記調整信号とを重畳した重畳信号を生成する重畳部を有し、
前記傾き調整部は、
第１の導波路及び第２の導波路を有し、
光信号を前記第１の導波路及び前記第２の導波路に光分岐し、前記重畳信号に基づき、前記第２の導波路を通過する前記光信号を位相調整後の光パケット信号に変換し、前記位相調整後の光パケット信号と前記第１の導波路を通過した前記光信号とを合波することを特徴とする付記１に記載の伝送装置。
【００９２】
(付記４)前記傾き調整部は、
電圧制御に関わる前記調整信号に基づき、前記第２の導波路を通過する前記光パケット信号を電圧制御することで前記光パケット信号の位相を調整することを特徴とする付記２又は３に記載の伝送装置。
【００９３】
（付記５）前記傾き調整部は、
電流制御に関わる前記調整信号に基づき、前記第２の導波路を通過する前記光パケット信号を電流制御することで前記光パケット信号の位相を調整することを特徴とする付記２又は３に記載の伝送装置。
【００９４】
（付記６）前記傾き調整部は、
温度制御に関わる前記調整信号に基づき、前記第２の導波路を通過する前記光パケット信号を温度制御することで前記光パケット信号の位相を調整することを特徴とする付記２又は３に記載の伝送装置。
【００９５】
（付記７）前記光パケット信号を波長多重回線に多重出力する出力部と、
前記パケット信号を前記波長多重回線内の波長光毎に時分割する分割部と
を有し、
前記調整信号生成部は、
前記波長光毎に前記調整信号を生成し、
前記傾き調整部は、
前記光変換された前記光パケット信号の波長光に関わる前記調整信号に基づき、前記光パケット信号内の前記光パルスの前記立上り及び前記立下りの傾きを調整することを特徴とする付記１〜６の何れか一つに記載の伝送装置。
【００９６】
（付記８）前記パケット信号から宛先情報を抽出する抽出部と、
前記抽出された前記宛先情報に対応する調整値を取得する取得部と
を有し、
前記調整信号生成部は、
前記取得された前記調整値に関わる前記調整信号を生成することを特徴とする付記１〜７の何れか一つに記載の伝送装置。
【００９７】
（付記９）前記抽出部は、
前記パケット信号から信号長情報を抽出し、
前記調整信号生成部は、
前記抽出された前記信号長情報に対応する調整時間及び前記取得された前記調整値に関わる前記調整信号を生成することを特徴とする付記８に記載の伝送装置。
【００９８】
（付記１０）パケット信号を受信し、受信したパケット信号を光変換して光パケット信号として送信する伝送装置の位相変調調整方法であって、
前記伝送装置は、
コヒーレント光を、前記パケット信号に基づいた前記光パケット信号に変調して出力し、
前記光パケット信号を入力し、前記光パケット信号の立上り及び立下りの傾きを調整し、
前記光パケット信号の立上り及び立下りの傾きを調整する調整信号を、前記パケット信号毎に生成する
処理を実行することを特徴とする位相変調調整方法。
【符号の説明】
【００９９】
２  伝送装置
３  ＷＤＭリング回線
１１  分解部
１２  バッファ
２３  Ｅ／Ｏ変換部
２５  整形部
２５Ａ  第３の導波路
２５Ｂ  第４の導波路
２６  光変調器
２６Ａ  第５の導波路
２６Ｂ  第６の導波路
２７  重畳ドライバ
４１  多重部
５１  制御電圧テーブル
５２  制御電圧取得部
６０  生成部
６４  ドライバ制御部
【図１】
2017112502.tif 000003
【図２】
2017112502.tif 000004
【図３】
2017112502.tif 000005
【図４】
2017112502.tif 000006
【図５】
2017112502.tif 000007
【図６Ａ】
2017112502.tif 000008
【図６Ｂ】
2017112502.tif 000009
【図７】
2017112502.tif 000010
【図８】
2017112502.tif 000011
【図９】
2017112502.tif 000012
【図１０】
2017112502.tif 000013
【図１１】
2017112502.tif 000014